(57)【要約】【課題】弱電解質の除去効率を高めた電気再生式純水製造装置を提供する。【解決手段】  陽極を備えた陽極室と陰極を備えた陰極室との間に陰イオン交換膜および陽イオン交換膜を交互に配列して順次形成される複数組の脱塩室（８１）・・・及び濃縮室（９１）・・・から構成され、脱塩室は通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、陽イオン交換体・陰イオン交換体の混合物（Ｍ）が配置されている。【選択図】  図２
2005052767.tif 000002
【特許請求の範囲】
【請求項１】
陽極を備えた陽極室と陰極を備えた陰極室との間に陰イオン交換膜および陽イオン交換膜を交互に配列して順次形成される複数組の脱塩室および濃縮室から構成され、脱塩室は通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、陽イオン交換体・陰イオン交換体の混合物（Ｍ）が配置されていることを特徴とする電気再生式純水製造装置。
【請求項２】
濃縮室および／または電極室には陽イオン交換体・陰イオン交換体の混合物（Ｍ）が配置されている請求項１に記載の電気再生式純水製造装置。
【請求項３】
陽極を備えた陽極室と陰極を備えた陰極室との間に陰イオン交換膜および陽イオン交換膜を交互に配列して順次形成される複数組の脱塩室および濃縮室から構成され、脱塩室は通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、単独の陰イオン交換体（Ａ）と陽イオン交換体・陰イオン交換体の混合物（Ｍ）が順次に配置され、且つ、陰イオン交換体（Ａ）の交換容量がイオン交換体の混合物（Ｍ）の交換容量より小さくなされていることを特徴とする電気再生式純水製造装置。
【請求項４】
濃縮室および／または電極室には陽イオン交換体・陰イオン交換体の混合物（Ｍ）が配置されている請求項３に記載の電気再生式純水製造装置。
【発明の詳細な説明】
【技術分野】
【０００１】
本発明は、電気再生式純水製造装置に関するものである。
【背景技術】
【０００２】
従来より、イオン交換体とイオン交換膜を組み合わせ且つ電気透析の作用を利用した電気再生式純水製造装置が提案されている。この装置は、含水状態のイオン交換体が良好な導電体であることに着目して発明されたものであり、基本的には、電気透析装置の陰イオン交換膜と陽イオン交換膜とで挟まれた脱塩室にイオン交換体を充填して構成される。そして、脱塩室に電圧を印可しながら脱塩されるべき被処理水を流通させて純水を得る。電気再生式純水製造装置によれば、イオン交換樹脂を使用した純水の製造方法の場合に必要な再生剤が不要となる利点がある。
【０００３】
本出願人は、脱塩室に収容される陽イオン交換体および陰イオン交換体の混合物に導電性物質を付加して成る装置を提案している（例えば特許文献１参照）。また、濃縮室および／または電極室に導電性物質を収容して成る装置も提案している（例えば特許文献１及び２参照）。これらの改良された装置は、何れも、電気的に安定であり、従って、処理水の水質を低下させないで安定化させ、しかも、消費電力量を低減させることを目的としたものであり、特に、その効果は、脱塩室および濃縮室の組み込み室数を増やした場合に顕著である。
【０００４】
しかしながら、従来の電気再生式純水製造装置は、強電解質の除去の点では問題ないものの、弱電解質の除去の点では不十分である。
【特許文献１】特開平９−２４３７４号公報
【特許文献２】特開２００１−１３７８５６号公報
【特許文献３】特開２００１−１３７８５９号公報
【発明の開示】
【発明が解決しようとする課題】
【０００５】
本発明は、上記実情に鑑みなされたものであり、その目的は、弱電解質の除去効率を高めた電気再生式純水製造装置を提供することにある。
【課題を解決するための手段】
【０００６】
すなわち、本発明の第１の要旨は、陽極を備えた陽極室と陰極を備えた陰極室との間に陰イオン交換膜および陽イオン交換膜を交互に配列して順次形成される複数組の脱塩室および濃縮室から構成され、脱塩室は通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、陽イオン交換体・陰イオン交換体の混合物（Ｍ）が配置されていることを特徴とする電気再生式純水製造装置に存する。
【０００７】
そして、本発明の第２の要旨は、陽極を備えた陽極室と陰極を備えた陰極室との間に陰イオン交換膜および陽イオン交換膜を交互に配列して順次形成される複数組の脱塩室および濃縮室から構成され、脱塩室は通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、単独の陰イオン交換体（Ａ）と陽イオン交換体・陰イオン交換体の混合物（Ｍ）が順次に配置され、且つ、陰イオン交換体（Ａ）の交換容量がイオン交換体の混合物（Ｍ）の交換容量より小さくなされていることを特徴とする電気再生式純水製造装置に存する。
【０００８】
以下、本発明の実施例を添付図面に基づいて説明する。図１は、本発明の電気再生式純水製造装置の一例の垂直縦断正面の全体略図である。図２は、第１の要旨に係る本発明の電気再生式純水製造装置の一例の垂直縦断正面の要部略図である。図３は、第２の要旨に係る本発明の電気再生式純水製造装置の一例の垂直縦断正面の要部略図である。
【０００９】
本発明の電気再生式純水製造装置（１）の基本的構成は、従来のものと同じであり、陽極（２）を備えた陽極室（３）と陰極（４）を備えた陰極室（５）との間に陰イオン交換膜（６１）及び陽イオン交換膜（７１）を交互に配列して順次形成される複数組の脱塩室（８１）、（８２）・・・及び濃縮室（９１）、（９２）・・・から構成される。
【００１０】
すなわち、陰イオン交換膜（６１）と陽イオン交換膜（７１）とに挟まれて脱塩室（８１）が構成され、同様にして陰イオン交換膜（６２）と陽イオン交換膜（７２）とに挟まれて第２の脱塩室（８２）が形成される。この様にして図示の装置の場合は５個の脱塩室が形成されている。一方、陽イオン交換膜（７１）と陰イオン交換膜（６２）とに挟まれて第１濃縮室（９１）が形成され、同様にして陽イオン交換膜（７２）と陰イオン交換膜（６３）とに挟まれて第２濃縮室（９２）が形成される。この様にして図示の装置の場合は４個の濃縮室が形成されている。
【００１１】
脱塩室および濃縮室を形成するためのイオン交換膜としては、通常の電気透析装置で採用されているものが使用され、例えば、商品名「セレミオン」（旭硝子社製）、「ネオセプタ」（トクヤマ社製）、「アシプレックス」（旭化成社製）等の市販品が挙げられる。
【００１２】
本発明において、前記の各脱塩室は、図２中、矢印で示す通液方向に２分割され、その上流側には、陽イオン交換体・陰イオン交換体の混合物（Ｍ）とバイポーラ膜（Ｂ）とが順次に配置され、しかも、バイポーラ膜（Ｂ）はその陰イオン交換膜（ａ）が上記のイオン交換体の混合物（Ｍ）に接する様に配置され、そして、脱塩室の下流側には、陽イオン交換体・陰イオン交換体の混合物（Ｍ）が配置される。従って、陰イオン交換膜／イオン交換体の混合物（Ｍ）／バイポーラ膜（Ｂ）の陰イオン交換膜（ａ）／バイポーラ膜（Ｂ）の陽イオン交換膜（ｃ）／陽イオン交換膜の層構成が形成される。
【００１３】
そして、後述する様に、脱塩室の上流側（入口側）は弱電解質除去ゾーンとして、脱塩室の下流側（出口側）は残余の電解質を除去するポリッシングゾーンとして機能する。弱電解質除去ゾーン（バイポーラ膜（Ｂ）配置ゾーン）とポリッシングゾーン（イオン交換体の混合物（Ｍ）充填ゾーン）の長さ比は、被処理水の水質によって適宜選択されるが、通常１：０．１〜５、好ましくは１：０．４〜０．６である。なお、脱塩室の「２分割」の用語は、上記の様な２つのゾーンの概念を形成するために使用され、実際にはイオン交換体の混合物（Ｍ）の充填ゾーンは分割する必要はない。
【００１４】
上記の各イオン交換体としては、通常の純水製造時の脱塩処理に使用されている陰イオン交換樹脂および陽イオン交換樹脂を使用することも出来るが、比表面積が大きく且つイオン交換反応が効率的であるイオン交換繊維を使用するのが有利である。斯かるイオン交換繊維としては、具体的には、ポリスチレン系繊維と補助剤との複合繊維にイオン交換基を導入したもの、ポリビニルアルコールの繊維基体にイオン交換基を導入したもの、ポリオレフィン系の繊維に放射線を照射して放射線グラフト重合を利用してイオン交換基を導入したもの等の市販品が利用できる。イオン交換繊維を使用する場合、両イオン交換繊維を交換容量で同当量混和し、これに不活性合成繊維を混合状態にした後、不織布状にしたものが使用される。なお、陰イオン交換樹脂は、通常の純水製造に採用されているイオン交換樹脂から適宜選定される。例えば、「ダイヤイオンＳＡ１０Ａ」、「ＰＡ３１６」等の強塩基性陰イオン交換樹脂が挙げられる。
【００１５】
上記の陰イオン交換体は、再生形および塩形の何れの型で使用してもよいが、水質の立ち上がりを早くするのには再生形を使用するのがよい。また、上記の陰イオン交換体（不織布または樹脂充填物）は、陰イオン交換膜と異なり、そのポーラス構造により、イオンのみならず、水をも自由に通過し得る。
【００１６】
上記のバイポーラ膜（Ｂ）としては、陰イオン交換膜（ａ）と陽イオン交換膜（ｃ）とを張り合わせて複合膜とした通常のものを使用することが出来る。例えば、バイポーラ電気透析に使用されているものをそのまま使用することが出来る。その一例としては、トクヤマ社製の商品「ネオセプタＢＰ−１」等がある。また、前述の脱塩室および濃縮室を形成するためのイオン交換膜と同様の陰イオン交換膜と陽イオン交換膜とを熱圧着または接着剤により張り合わせて使用することも出来る。勿論、脱塩室（濃縮室）を構成する陽イオン交換膜に陰イオン交換膜を張り合わせてバイポーラ膜を構成してもよい。斯かるバイポーラ膜（Ｂ）は、装置に組み込んで直流電流を流した場合、バイポーラ膜（Ｂ）中の陰イオン交換膜（ａ）と陽イオン交換膜（ｃ）との界面から水を解離させてＨ＋とＯＨ−を発生させる機能を有する。
【００１７】
本発明において、バイポーラ膜（Ｂ）はその界面が重要であり、イオンの移動方向の厚さ（図面では左右の厚さ）は問題とされない。バイポーラ膜（Ｂ）は、通常０．１〜０．５ｍｍの厚さの陰イオン交換膜（ａ）と陽イオン交換膜（ｃ）との各一枚を張り合わせて構成され、その厚さは、通常０．２〜１．０ｍｍである。なお、図中、バイポーラ膜（Ｂ）は、比較的に厚く描かれているが、これは作図上の都合によるものである。
【００１８】
第１の要旨に係る本発明においては、脱塩室の下流側（出口側）の間には、陽イオン交換体・陰イオン交換体の混合物（Ｍ）が配置される（図２）。従って、陰イオン交換膜／イオン交換体の混合物（Ｍ）／陽イオン交換膜の層構成が形成される。
【００１９】
上記のイオン交換体の混合物（Ｍ）としては、脱塩室の上流側（入口側）で使用したのと同様のものを使用することが出来る。
【００２０】
イオン交換体の混合物（Ｍ）には導電性物質（Ｅ）を付加するのが好ましい。斯かる構成により、脱塩室および濃縮室の組み込み室数を増やした場合にも、電圧の印可条件を変化させることなく、処理水の水質を低下させないで安定化させ、しかも、消費電力量を低減させることが出来る。
【００２１】
上記の導電性物質（Ｅ）としては、イオン交換体がイオン交換繊維の場合は導電性繊維が好ましい。導電性繊維としては、炭素繊維の他、ナイロン系、アクリル系、ポリエステル系などの合成繊維にカーボンブラックを練り込んだ複合繊維、表面がカーボンブラックでコーティングされた合成繊維などが挙げられる。斯かる導電性繊維の具体例としては、「アントロン」（デュポン社製）、「ウルトロン」（モンサント社製）、「ＳＡ−７」、「バレルII」（東レ社製）、「ベルトロン」（鐘紡社製）、「メガII」（ユニチカ社製）、「メタリアン」（帝人社製）等の市販品がある。
【００２２】
導電性繊維は、イオン交換繊維と均一に混合され不織布状の形態にされる。この場合、混合割合は、イオン交換繊維の交換容量に悪影響を及ぼさず且つ高い導電性を付与する様に、イオン交換繊維の交換能、導電性繊維の性質などを考慮して適宜決められるが、通常は２０〜７０重量％、好ましくは３０〜６０％であり、略５０％程度が最も好ましい。また、イオン交換体がイオン交換樹脂の場合は、小粒の黒鉛、小粒の活性炭などの導電性物質が混合して使用される。
【００２３】
第２の要旨に係る本発明においては、脱塩室の下流側（出口側）には、単独の陰イオン交換体（Ａ）と陽イオン交換体・陰イオン交換体の混合物（Ｍ）とが順次に配置される。従って、陰イオン交換膜／陰イオン交換体（Ａ）／イオン交換体の混合物（Ｍ）／陽イオン交換膜の層構成が形成される（図３）。
【００２４】
第２の要旨に係る本発明は、脱塩室の下流側（出口側）において、陽イオン交換体・陰イオン交換体の混合物（Ｍ）と共に単独の陰イオン交換体（Ａ）を併用する点を除き、第１の要旨に係る本発明と同じである。
【００２５】
そして、脱塩室の下流側（出口側）における、陰イオン交換体（Ａ）の交換容量は、イオン交換体の混合物（Ｍ）の交換容量より小さくなされている。具体的には、陰イオン交換体（Ａ）／イオン交換体の混合物（Ｍ）の総交換容量比は、通常１：１．１〜１０、好ましくは１：４〜６である。ただし、イオン交換体の混合物（Ｍ）の総交換容量は陰イオン交換体と陽イオン交換体の各交換容量の合計値を意味する。
【００２６】
濃縮室および／または電極室には陽イオン交換体・陰イオン交換体の混合物（Ｍ）及び／又は導電性物質（Ｅ）を収容するのが好ましい。斯かる構成により、濃縮室および／または電極室が電気的により安定となるため、電圧の印可条件を変化させることなく、処理水の水質を低下させないで安定化させ、しかも、消費電力量を低減させることが出来る。
【００２７】
濃縮室および／または電極室に使用するイオン交換体の混合物（Ｍ）及び／又は導電性物質（Ｅ）としては、脱塩室の充填物として前述したのと同様のものが使用される。導電性物質（Ｅ）としては、湿潤状態で陽イオン交換体および陰イオン交換体よりも良導電性である導電性物質、特に炭素繊維が好適に使用される。
【００２８】
イオン交換体の混合物（Ｍ）及び／又は導電性物質（Ｅ）は、電極室よりも濃縮室に収容した方が好ましい結果が得られる。勿論、両室に収容してもよい。また、脱塩室の場合と同様に、イオン交換体の混合物（Ｍ）に導電性物質（Ｅ）を付加して使用してもよい。
【００２９】
本発明の装置は次の様に使用される。５個の各脱塩室には、並行して被処理水（脱イオンされる水）を流入管（１３１）から供給する。処理水（脱イオンされた水）は流出管（１３２）から流出される。４個の各濃縮室には、並行して被処理水を流入管（１４１）から供給する。各濃縮室に供給された被処理水は、濃縮されて濃縮水として流出管（１４２）から排出される。また、濃縮室への供給と同時に被処理水を流入管（１２１）から陽極室（３）に、流入管（１２３）から陰極室（５）にそれぞれ導入し、各々流出管（１２２）、流出管（１２４）から排出させる。
【００３０】
上記の各流路により被処理水を流通させながら、陽極（２）及び陰極（４）から直流電流を通ずると、各脱塩室では被処理水中の不純物イオンはイオン交換体の有するイオン交換基により捕捉除去され、純水が製造されると共に、捕捉された不純物イオンは脱塩室の隔膜でもある陰イオン交換膜および陽イオン交換膜により電気透析されて隣接する濃縮室に移動し、濃縮され流出管（１４２）から排出される。この際、脱塩室の上流側（入口側）は弱電解質除去ゾーンとして、脱塩室の下流側（出口側）は残余の電解質を除去するポリッシングゾーンとして機能する。その機構は、必ずしも明らかではないが、次の様に推定される。
【００３１】
脱塩室の上流側（入口側）においては、イオン交換体の混合物（Ｍ）とバイポーラ膜（Ｂ）とが順次に配置され、陰イオン交換膜／イオン交換体の混合物（Ｍ）／バイポーラ膜（Ｂ）の陰イオン交換膜（ａ）／バイポーラ膜（Ｂ）の陽イオン交換膜（ｃ）／陽イオン交換膜の層構成が形成されている。その結果、バイポーラ膜（Ｂ）の陰イオン交換膜（ａ）と陽イオン交換膜（ｃ）との界面で水が解離してＨ＋とＯＨ−が発生し、このＯＨ−はイオン交換体の混合物（Ｍ）内に拡散してアルカリ雰囲気（ＯＨ−リッチの雰囲気）が形成されて維持される。その結果、弱電解質のイオン化が促進されため、弱電解質が濃縮室に効率良く移動して除去される。そして、バイポーラ膜（Ｂ）の陽イオン交換膜（ｃ）が脱塩室（濃縮室）を構成する陽イオン交換膜に接しているため、Ｎａ及びＫのアルカリ金属イオンは脱塩室内に留まり、脱塩室内のアルカリ雰囲気化がより促進される。
【００３２】
一方、第１の要旨に係る本発明の脱塩室の下流側（出口側）においては、イオン交換体の混合物（Ｍ）により強電解質がイオン化されて濃縮室に効率移動して除去される。また、この際、第２の要旨に係る本発明においては、陰イオン交換体（Ａ）／イオン交換体の混合物（Ｍ）の界面で形成されるイオン化により僅かなアルカリ雰囲気が形成され、これにより、脱塩室の上流側（入口側）で除去し得なかった電解質の除去が促進される。また、陰イオン交換体（Ａ）の交換容量がイオン交換体の混合物（Ｍ）の交換容量より小さくなされているため、脱塩室の下流側（出口側）を通過する被処理水のｐＨに影響はなく、中性の純水が得られる。
【発明の効果】
【００３３】
以上説明した本発明によれば、弱電解質の除去効率が高められた電気再生式純水製造装置が提供され、本発明の工業的価値は大きい。
【発明を実施するための最良の形態】
【００３４】
次に、本発明を実施例により更に詳細に説明するが、本発明は、その要旨を超えない限り以下の実施例に限定されるものではない。
【実施例１】
【００３５】
図１及び図２に示す様な構造を有する電気再生式純水製造装置であって、脱塩室が４５室および濃縮室が４４室より成る装置を使用して実験を行った。脱塩室は、縦３９０ｍｍ、横１３０ｍｍ、厚さ２ｍｍであり、濃縮室は、縦３９０ｍｍ、横１３０ｍｍ、厚さ２ｍｍである。
【００３６】
陰イオン交換膜としては、セレミオンＡＭＤ［旭硝子（株）製、セレミオンは同社登録商標］を使用し、その寸法は、縦３９０ｍｍ、横１３０ｍｍである。陽イオン交換膜としては、セレミオンＣＭＤ［旭硝子（株）製］を使用し、その寸法は、縦３９０ｍｍ、横１３０ｍｍである。
【００３７】
イオン交換体の混合物（Ｍ）としては、ポリビニルアルコールをマトリックスにスチレン−ジビニルベンゼンのスルホン酸化物を均一に分散させた強酸性陽イオン交換繊維（株式会社ニチビ製「ＩＥＦ−ＳＣ」）とポリビニルアルコールの主鎖にトリメチルアンモニウム基を付加してなる強塩基性陰イオン交換繊維（株式会社ニチビ製「ＩＥＦ−ＳＡ」）の両イオン交換繊維を交換容量で同当量混和し、これに不活性合成繊維としてポリエステル繊維を５０％の割合で混合状態にした後、不織布状にしたものを使用した。
【００３８】
バイポーラ膜（Ｂ）としては、陰イオン交換膜（ａ）と陽イオン交換膜（ｃ）とを接着剤で張り合わせたものを使用した。各イオン交換膜には前記のものを使用した。バイポーラ膜（Ｂ）の寸法は、縦１５６ｍｍ、横１３０ｍｍとした。
【００３９】
陰イオン交換体（Ａ）としては、ポリビニルアルコールの主鎖にトリメチルアンモニウム基を付加してなる強塩基性陰イオン交換繊維（株式会社ニチビ製「ＩＥＦ−ＳＡ」）に不活性合成繊維としてポリエステル繊維を５０％の割合で混合状態にした後、不織布状にしたものを使用した。
【００４０】
上記の脱塩室は、通液方向に２分割され（１９５ｍｍ／１９５ｍｍ）、入口側の陰イオン交換膜および陽イオン交換膜の間には、上記のイオン交換体の混合物（Ｍ）とバイポーラ膜（Ｂ）とを順次に配置した。この際、バイポーラ膜（Ｂ）の陽イオン交換膜（ｃ）が上記の陽イオン交換膜側に位置する様に配置した。また、出口側の陰イオン交換膜および陽イオン交換膜の間には、上記のイオン交換体の混合物（Ｍ）を配置した。
【００４１】
上記の濃縮室の陰イオン交換膜および陽イオン交換膜の間にはイオン交換体の混合物（Ｍ）を収容した。
【００４２】
被処理水としては横浜市水のＲＯ（逆浸透膜）処理水（電気伝導度：２０μＳ／ｃｍ）を使用した。このＲＯ処理水の分析値は後述の表１に示す通りである。
【００４３】
脱塩室側流入管（１３１）から脱塩室にＬＶ２５ｍ／ｈで被処理水を通水した。同様に両電極室および濃縮室にも被処理水を脱塩室への供給速度と同じ流速で供給した。通水と同時に両電極室の電極板に６００Ｖの直流電圧を印可した。定常状態になった直後に脱塩室より流出する処理水の分析を行なった。その結果を表１に示す。
【実施例２】
【００４４】
実施例１において、出口側の陰イオン交換膜および陽イオン交換膜の間に、上記の陰イオン交換体（Ａ）とイオン交換体の混合物（Ｍ）とを順次に配置した以外は、実施例１と同一構成の装置を使用した。この際、陰イオン交換体（Ａ）／イオン交換体の混合物（Ｍ）の総交換容量比は１／５とした。ただし、イオン交換体の混合物（Ｍ）の総交換容量は陰イオン交換体と陽イオン交換体の各交換容量の合計値を意味する。そして、実施例１と同様に通水試験を行なった。その結果を表１に示す。
【００４５】
（比較例１）
実施例１において、脱塩室を分割せず、脱塩室全体にイオン交換体の混合物（Ｍ）を収容した以外は、実施例１と同様に操作した。脱塩室より流出する処理水の分析結果を表１に示す。
【００４６】
【表１】
2005052767.tif 000003
【図面の簡単な説明】
【００４７】
【図１】本発明の電気再生式純水製造装置の一例の垂直縦断正面の全体略図
【図２】第１の要旨に係る本発明の電気再生式純水製造装置の一例の垂直縦断正面の要部略図
【図３】第２の要旨に係る本発明の電気再生式純水製造装置の一例の垂直縦断正面の要部略図
【符号の説明】
【００４８】
１：電気透析槽本体
２：陽極
３：陽極室
４：陰極
５：陰極室
６１：陰イオン交換膜
７１：陽イオン交換膜
８１：脱塩室
９１：濃縮室
１２１：陽極室側流入管
１２２：陽極室側流出管
１２３：陰極室側流入管
１２４：陰極室側流出管
１３１：脱塩室側流入管
１３２：脱塩室側流出管
１４１：濃縮室側流入管
１４２：濃縮室側流出管
Ａ：陰イオン交換体
Ｂ：バイポーラ膜
ａ：バイポーラ膜の陰イオン交換膜
ｃ：バイポーラ膜の陽イオン交換膜
Ｍ：イオン交換体の混合物
【図１】
2005052767.tif 000004
【図２】
2005052767.tif 000005
【図３】
2005052767.tif 000006